(57)【特許請求の範囲】
【請求項１】
操作手段により、撮影設定を切り替える撮影設定切替操作を受け付け、設定変更手段により、前記撮影設定切替操作により切り替えられる前記撮影設定に応じて、被写体を撮影する動作制御に関わる設定を変更する設定変更処理を行う撮像装置において、
前記設定変更手段は、前記撮影設定切替操作が、処理開始後中断不可能とされる前記設定変更処理を伴う前記撮影設定への切替操作である場合に、前記撮影設定切替操作を受け付けてから前記設定変更処理を開始するまでの時間を、前記撮影設定切替操作が処理開始後中断不可能とされる前記設定変更処理を伴わない前記撮影設定への切替操作である場合に比べて長くすることを特徴とする撮像装置。
【請求項２】
前記設定変更手段は、前記撮影設定切替操作が処理開始後中断不可能とされる前記設定変更処理を伴う前記撮影設定への切替操作である場合で、当該撮影設定切替操作が行われてから所定時間が経過するまで新たに前記撮影設定切替操作が行われない場合に、前記設定変更処理を開始することを特徴とする請求項１に記載の撮像装置。
【請求項３】
前記設定変更手段は、前記所定時間の経過後は、前記操作手段による前記撮影設定切替操作の受け付けを無効にすることを特徴とする請求項２に記載の撮像装置。
【請求項４】
前記設定変更手段は、前記所定時間の経過後に開始された前記設定変更処理の完了をもって、前記操作手段による前記撮影設定切替操作の受付を有効に戻すことを特徴とする請求項３に記載の撮像装置。
【請求項５】
前記設定変更手段は、前記撮影設定切替操作による前記撮影設定の切り替えに伴って複数の前記設定変更処理を行う場合であって、複数の前記設定変更処理の少なくとも一つの前記設定変更処理が処理開始後中断不可能である場合には、少なくとも処理開始後中断不可能の前記設定変更処理を前記所定時間の経過後に開始することを特徴とする請求項２乃至４の何れか１項に記載の撮像装置。
【請求項６】
前記設定変更手段は、処理開始後中断可能の前記設定変更処理がある場合には、処理開始後中断可能の前記設定変更処理を前記所定時間の経過に関わらず開始することを特徴とする請求項５に記載の撮像装置。
【請求項７】
前記撮影設定切替操作による前記撮影設定の切り替えに伴って行われる前記設定切替処理が処理開始後中断可能であるか処理開始後中断不可能であるかを判定する判定手段を有し、前記設定変更手段は、前記判定手段での判定結果に応じて前記設定変更処理の開始を制御することを特徴とする請求項１乃至６の何れか１項に記載の撮像装置。
【請求項８】
撮影設定を切り替える撮影設定切替操作を受け付け、前記撮影設定切替操作により切り替えられる前記撮影設定に応じて、被写体を撮影する動作制御に関わる設定を変更する設定変更処理を行う撮像装置制御方法において、
前記撮影設定切替操作が処理開始後中断不可能とされる前記設定変更処理を伴う前記撮影設定への切替操作である場合に、前記撮影設定切替操作を受け付けてから前記設定変更処理を開始するまでの時間を、前記撮影設定切替操作が処理開始後中断不可能とされる前記設定変更処理を伴わない前記撮影設定への切替操作である場合に比べて長くすることを特徴とする撮像装置制御方法。
【発明の詳細な説明】
【技術分野】
【０００１】
本発明は、撮像装置及びその制御方法に関する。
【背景技術】
【０００２】
デジタルカメラやカメラ付き携帯電話等の撮像装置には、特許文献１に示すような各種撮影設定を備えるものがある。この撮影設定には、例えば、動きの速い被写体に適するスポーツシーンや被写体に接近して被写体を大きく写すマクロシーン、風景を写すのに適する風景シーン等の「撮影シーン」や、プログラムオートモードや絞り優先オートモード、シャッタ速度優先オードモード等の露出モード等の「撮影モード」等がある。
撮像装置は、ユーザが選択した撮影設定に応じて、撮影に関する各種パラメータの値を設定することにより、当該撮影設定に応じた撮影画像を取得する。
【０００３】
このような撮像装置には、ユーザによる操作を受け付ける各種操作キーが設けられており、撮影設定の切り替えは、何れかの操作キーをユーザが操作することにより行われる。撮影設定を切り替える操作キーとしては、各撮影設定を選択する専用キーが撮影設定毎に設けられているのではなく、ある操作キーを連続して押下することにより撮影設定を順次切り替えるように構成されるものがある。
【特許文献１】特開２００４−１２０２２５号公報
【発明の開示】
【発明が解決しようとする課題】
【０００４】
従来の撮像装置において、上述のようなある操作キーを連続して押下することによる撮影設定の切り替え操作が行われると、操作キーを押下する都度、撮影設定が切り替わる。撮影設定が切り替わると、撮影設定に応じて各種パラメータの値が変更されるので、これに伴い、撮像装置の各部の制御状態を変更する必要が生じるが、パラメータの値の変更内容によっては、各部の制御状態の変更を完了するまでに１〜２秒程度時間を要することがある。この間は、一般に、撮影設定を切り替える操作キーが押下されても、操作が有効に処理されず、引き続き撮影設定を切り替えようとするユーザの操作が反映されない。また、各部の制御状態を変更している間の操作キーの押下を有効としても、この各部の制御状態の変更が完了した後に更なる操作キーの押下に伴う各部の制御状態の変更が開始されるため、ユーザが選択した撮影設定への切り替え完了までに時間を要し、ユーザに違和感を与えてしまうこととなる。また、撮影対象を確認する表示部がある撮像装置では、パラメータの値の変更内容によっては、表示部に表示する画像の色調等を変更する等の理由から、表示部の画面が一旦消灯されることがある。これらのような場合には、引き続き撮影設定を切り替えようとしているユーザに対して大きな違和感を与えてしまうこととなる。
【０００５】
本発明は、上述した事情に鑑みてなされたもので、操作手段による撮影設定の切り替え操作における違和感を緩和し、操作感を改善することを目的とする。
【課題を解決するための手段】
【０００６】
上記課題を解決するために、本発明では、撮像装置に係る第１の手段として、操作手段により、撮影設定を切り替える撮影設定切替操作を受け付け、設定変更手段により、前記撮影設定切替操作により切り替えられる前記撮影設定に応じて、被写体を撮影する動作制御に関わる設定を変更する設定変更処理を行う撮像装置において、前記設定変更手段は、前記撮影設定切替操作が、処理開始後中断不可能とされる前記設定変更処理を伴う前記撮影設定への切替操作である場合に、前記撮影設定切替操作を受け付けてから前記設定変更処理を開始するまでの時間を、前記撮影設定切替操作が処理開始後中断不可能とされる前記設定変更処理を伴わない前記撮影設定への切替操作である場合に比べて長くするものを採用した。
【０００７】
また、撮像装置に係る第２の手段として、上記第１の手段において、前記設定変更手段は、前記撮影設定切替操作が処理開始後中断不可能とされる前記設定変更処理を伴う前記撮影設定への切替操作である場合で、当該撮影設定切替操作が行われてから所定時間が経過するまで新たに前記撮影設定切替操作が行われない場合に、前記設定変更処理を開始するものを採用した。
【０００８】
撮像装置に係る第３の手段として、上記第２の手段において、前記設定変更手段は、前記所定時間の経過後は、前記操作手段による前記撮影設定切替操作の受け付けを無効にするものを採用した。
【０００９】
撮像装置に係る第４の手段として、上記第３の手段において、前記設定変更手段は、前記所定時間の経過後に開始された前記設定変更処理の完了をもって、前記操作手段による前記撮影設定切替操作の受付を有効に戻すものを採用した。
【００１０】
撮像装置に係る第５の手段として、上記第２乃至４の何れかの手段において、前記設定変更手段は、前記撮影設定切替操作による前記撮影設定の切り替えに伴って複数の前記設定変更処理を行う場合であって、複数の前記設定変更処理の少なくとも一つの前記設定変更処理が処理開始後中断不可能である場合には、少なくとも処理開始後中断不可能の前記設定変更処理を前記所定時間の経過後に開始するものを採用した。
【００１１】
撮像装置に係る第６の手段として、上記第５の手段において、前記設定変更手段は、処理開始後中断可能の前記設定変更処理がある場合には、処理開始後中断可能の前記設定変更処理を前記所定時間の経過に関わらず開始するものを採用した。
【００１２】
撮像装置に係る第７の手段として、上記第１乃至６の何れかの手段において、前記撮影設定切替操作による前記撮影設定の切り替えに伴って行われる前記設定切替処理が処理開始後中断可能であるか処理開始後中断不可能であるかを判定する判定手段を有し、前記設定変更手段は、前記判定手段での判定結果に応じて前記設定変更処理の開始を制御するものを採用した。
【００１３】
更に、本発明では、撮像装置制御方法に係る第１の手段として、撮影設定を切り替える撮影設定切替操作を受け付け、前記撮影設定切替操作により切り替えられる前記撮影設定に応じて、被写体を撮影する動作制御に関わる設定を変更する設定変更処理を行う撮像装置制御方法において、前記撮影設定切替操作が処理開始後中断不可能とされる前記設定変更処理を伴う前記撮影設定への切替操作である場合に、前記撮影設定切替操作を受け付けてから前記設定変更処理を開始するまでの時間を、前記撮影設定切替操作が処理開始後中断不可能とされる前記設定変更処理を伴わない前記撮影設定への切替操作である場合に比べて長くする方法を採用した。
【発明の効果】
【００１４】
本発明によれば、処理開始後中断不可能の設定変更処理を伴う撮影設定への切り替えを行う場合に、この設定変更処理が開始されるタイミングが、処理開始後中断不可能の設定変更処理を伴わない撮影設定への切り替えを行う場合に比べて遅いので、操作手段による撮影設定切替操作に応じて撮影設定が切り替えられる際に、処理開始後中断不可能の設定変更処理を行う場合には、その設定変更処理の開始が遅延されることにより、その後に更なる撮影設定切替操作が行われた場合に、その後の更なる撮影設定切替操作により切り替えられる撮影設定に対応した設定変更処理に対して好適に対処することができ、ユーザによる撮影設定の切替操作における違和感を緩和することができる。
【発明を実施するための最良の形態】
【００１５】
以下、本発明の撮像装置の一実施形態である携帯電話機について図面を参照して説明する。図１は、本実施形態における携帯電話機Ａの外観を示す斜視図であり、図２は、携帯電話機Ａの電気的概略構成を示すブロック図である。
携帯電話機Ａは、操作部１、表示部２、表示制御部３、カメラ部４、電話機能部５、記憶部６、主制御部７、電源部８を備えている。
【００１６】
操作部１は、テンキー１ａや汎用キー１ｂ、複合キー１ｃ等を備えており、これらのキーによりユーザからの各種操作を受け付け、主制御部７に出力する。
汎用キー１ｂは、操作部１の上部の左右両端に設けられており、表示部２の下部両端にソフトキーが表示されているとき、これらのソフトキーに対応する。複合キー１ｃは、上下左右を指し示すキーとそれらの中央に配置されたキーとからなり、表示部２の下部中央にソフトキーが表示されているときには、このソフトキーに対応する。
【００１７】
表示部２は、携帯電話機Ａの筐体に設けられて、表示面を有する液晶パネル（ＬＣＤ）等を有して構成されて、表示制御部３から入力される画像信号に基づいて、ユーザに対して各種画像を表示面に表示するものである。
表示制御部３は、主制御部７による制御の下に、表示部２に表示すべき画像の制御信号を生成して、表示部２に出力する。
【００１８】
カメラ部４は、例えばＣＣＤ等の撮像素子とレンズ等の光学系及び画像処理プロセッサから構成され、主制御部７による制御の下に、撮影及び撮影で得られた画像データの処理を行う。なお、撮像素子とレンズ等の光学系は、表示部２が設けられる筐体の背面側に配設されている。
また、主制御部７は、カメラ部４を制御する。各種パラメータは、露出やシャッタ速度等を規定するものである。各種パラメータの値は、後述する記憶部６に記憶された撮影モードや撮影シーン等の各種撮影設定毎に設定されている。
【００１９】
電話機能部５は、マイク、スピーカ、無線通信部から構成され、主制御部７による制御の下に、基地局と、通話やメール送受信等に係わる通信を行う。
【００２０】
記憶部６は、ＲＯＭ（Read Only Memory）、およびＲＡＭ（Random Access Memory）から構成され、主制御部７が実行する通話アプリケーションやメールアプリケーション、カメラアプリケーション等の各種プログラムや、送受信メール、着信音データ、電話帳データ、画像データ等を記憶する。
【００２１】
また、記憶部６は、各種操作状況に応じて表示部２に表示させるソフトキーの画像及び位置や、上記の撮影モードや撮影シーン等の各種撮影設定を示す画像（アイコン）を記憶している。
更に、記憶部６は、各種撮影設定及びこれらの撮影設定に適する各種パラメータの設定内容を記憶している。図３は、各撮影シーンにおける各種パラメータの設定内容を示す表である。この図に示すように、各種撮影シーンとしては、汎用の標準シーンや夜景撮影に適する夜景シーン、文字の撮影に適するテキストシーン、夕暮れ時の撮影に適する夕焼けシーン等があり、各種パラメータとしては、露出やホワイトバランス、オートフォーカス、コントラスト、特殊効果、長時間露光、輪郭強調等がある。
また、記憶部６は、上記撮影シーン以外の撮影設定として撮影モードを記憶すると共に、この撮影モードに適する各種パラメータの設定内容を記憶している。各種撮影モードとしては、プログラムオートモードや絞り優先オートモード、シャッタ速度優先モード等の露出モードや、連射モードや望遠モード、動画モード等の撮影動作モード等があり、各種パラメータとしては、絞り度合やシャッタスピード、画像領域、拡大率等がある。
そして、記憶部６は、これら各種パラメータについて、パラメータの変更に対応する処理が処理開始後中断可能であるか処理開始後中断不可能であるかをも記憶している。
【００２２】
主制御部７は、例えばマイクロプロセッサ等のＣＰＵを内蔵し、所定の制御プログラムに基づいて、携帯電話機Ａ全体の動作を制御する。
電源部８は、上記の各部へ電力を供給する。
【００２３】
図４は、カメラアプリケーション起動中のユーザ操作に応じた表示部２の画面の切り替わりを示す画面遷移図である。図５は、本実施形態の携帯電話機Ａの動作を示すフローチャートであり、詳しくは、カメラアプリケーション起動中の撮影シーン切替動作を示すフローチャートである。以下、この図４及び図５をも参照しながら、携帯電話機Ａの動作について説明する。
【００２４】
図４に示すように、カメラアプリケーション起動中には、主制御部７によるカメラアプリケーションに基づく制御の下に、画像制御部３が、撮影対象の画像に加えて、選択中の撮影モードを示すアイコンを表示部２の画面左上部に表示させ、撮影シーンを示すアイコンを表示部２の画面右上部に表示させ、更に、撮影キーを画面下部中央に、その両脇に機能メニューを表示するメニューキー及びカメラアプリケーションを終了する終了キーを表示させる（図４（ａ））。なお、図４（ａ）に示される画面上の各アイコンは、撮影モードがオートモードに設定され、撮影シーンが標準シーンに設定されていることを示している。
ここで、撮影キーは、ユーザにより複合キー１ｃの中央が押下されることによって機能し、メニューキー及び終了キーは、ユーザにより汎用キー１ｂが押下されることにより機能する。
【００２５】
ユーザによる操作を受け付けた操作部１が、主制御部７に、メニューキーが押下されたことを示す信号を出力すると、主制御部１による制御の下に、画像制御部３が、表示部２に、機能メニューウィンドウを表示させる（図４（ｂ））。
このとき、前画面でメニューキーとされていたソフトキーは、前画面に戻るための戻るキーとされ、前画面で撮影キーとされていたソフトキーは、機能メニューを選択し決定するための選択・決定キーとされる。機能メニューの選択は、ユーザにより複合キー１ｃの上下を指し示す部分が押下されることによって機能し、決定は、ユーザにより複合キー１ｃの中央が押下されることによって機能する。前画面で終了キーが割り当てられていた汎用キー１ｂには、この画面では機能の割り当てはされない。
【００２６】
機能メニューウィンドウは、カメラ部４の動作制御に係わる設定を行うためのもので、設定項目としては、撮影モード、撮影シーン、フレーム、セルフタイマー、特殊効果等がある。
【００２７】
ユーザによる操作を受け付けた操作部１が、主制御部７に、機能メニューから撮影シーンが選択されたことを示す信号を出力すると、主制御部１による制御の下に、画像制御部３が、表示部２に、撮影シーン選択ウィンドウを表示させる（図４（ｃ））。
このとき、画面下部中央のソフトキーは、撮影シーンを選択するための選択キーとされる。ユーザにより複合キー１ｃの上下を指し示す部分が押下されたことを操作部１が主制御部７へ出力すると、主制御部７は、図５に示す撮影シーン切替処理を開始する。
【００２８】
主制御部７は、操作部１により撮影シーンの選択操作が受け付けられると（ステップＳ１）、まず、表示部２に表示された選択中の撮影シーンを示すアイコンを変更するよう表示制御部３に指示する（ステップＳ２）。
次に、主制御部７は、変更が必要なパラメータの全てが、処理開始後中断可能であるか判断する（ステップＳ３）。ここで、例えば、操作部１により受け付けられた撮影シーンの選択操作が、標準シーンから夜景シーンに切り替えるものであった場合、変更されるパラメータは、露出、ホワイトバランス、及び長時間露光である。これらのパラメータは、処理開始後中断可能であるので（ステップＳ３のＹｅｓ）、主制御部７は、変更される各種パラメータの設定内容に基づいて、カメラ部４の動作制御状態を変更する処理（設定変更処理）を行い（ステップＳ４）、続いて、表示制御部３に、切り替え後の撮影シーン（ここでは夜景シーン）に対応した画像を表示部２の表示面に表示させるように指示することにより、表示部２における撮影対象の画像の表示状態に変更を反映させる（ステップＳ５）（図４（ｄ））。
【００２９】
操作部１により受け付けられた撮影シーンの選択操作が、テキストシーンから夕焼けシーンに切り替えるものであった場合、変更されるパラメータに、処理開始後中断不可能であるオートフォーカス及び特殊効果が含まれるので、主制御部７は、ステップＳ３においてＮｏと判断し、ステップＳ６へ処理を進める。主制御部７は、ステップＳ１で受け付けた撮影シーンへの切り替えを行うために複合キー１ｃの上下を指し示す部分が押下された時点（ここでは撮影シーンとして夕焼けシーンを選択する操作が行われた時点）からの経過時間をチェックし（ステップＳ６）、この経過時間が所定時間（１秒間）に達した時点をもって（ステップＳ７のＹｅｓ）、撮影シーン切替操作を無効にする（ステップＳ８）。撮影シーン切替操作を無効にするとは、操作部１に対してユーザが撮影シーンを切り替える操作を行ってもこれを受け付けない状態にすることである。そして、主制御部７は、変更される各種パラメータの設定内容に基づいて、カメラ部４の動作制御状態を変更する処理（設定変更処理）を行い（ステップＳ９）、続いて、表示制御部３に、切り替え後の撮影シーン（ここでは夕焼けシーン）に対応した画像を表示部２の表示面に表示させるように指示することにより、表示部２における撮影対象の画像の表示状態に変更を反映させる（ステップＳ１０）。そして、主制御部７は、ステップ１へ戻り、次の撮影シーンへの切替操作を有効にする。
【００３０】
ステップＳ７において、ステップＳ１で受け付けた撮影シーンへの切り替えを行うために複合キー１ｃの上下を指し示す部分が押下された時点から１秒経過していない場合には（ステップＳ７のＮｏ）、主制御部７は、次の撮影シーンへの切り替えを受け付け可能とし（ステップＳ１１）、Ｓ１で受け付けた撮影シーンへの切り替えにより、パラメータの変更処理が複数行われる場合に、この複数の変更処理のうち、処理開始後中断可能なパラメータについての変更処理を行って表示部２の表示状態に変更を反映して（ステップＳ１２）、ステップＳ１に戻って次の撮影シーンへの切替処理を有効とする。
【００３１】
本携帯電話機Ａでは、上述のように、撮影シーンの変更に伴って、処理開始後中断不可能なパラメータの変更処理を要する場合には、この撮影シーンの切替操作から所定時間経過した後に変更処理を開始するので、ユーザの操作中にユーザが意図しない撮影シーンを経由してもその撮影シーンに応じた設定変更処理によってユーザの操作が妨げられる確率が低くなるため、操作キーを連続して押下することによる撮影シーンの切り替え操作における違和感を緩和し、操作感を改善することができる。
【００３２】
ところで、本携帯電話機Ａは、図６に示すように、予め用意された上記の各撮影シーンの各パラメータをユーザが好みで変更することをある程度の範囲で許容しており、更に、変更した状態を「お好み」として登録することを可能としている。図７及び図８を用いて「お好み」の登録について説明する。
【００３３】
まず、撮影シーンとして夜景が選択され、更にフレームが追加された状態において、ユーザにより、機能メニューで撮影シーンが選択されると（図７（ａ））、主制御部７は、表示制御部３に指示して、表示部２に、撮影シーンとして現在の設定状態をお好みとして登録するか否かを問うウィンドウを表示させ（図７（ｂ））、ユーザが「ＹＥＳ」を選択した場合には、撮影シーンとして現在の設定状態をお好みとして登録し、表示部２に、その旨を知らせるウィンドウを表示させる（図７（ｃ））。また、ユーザが「ＮＯ」を選択した場合には、お好みへの登録は行わず、既存の撮影シーンの選択を受け付ける撮影シーン選択ウィンドウを表示させる（図７（ｄ））
【００３４】
また、夜景シーンにフレームを追加した状態がお好み２として登録された後で、表示部２の表示状態が、お好み２の登録内容と同じ状態つまり夜景シーンにフレームを追加した状態となっているときに、機能メニューで撮影シーンが選択された場合には（図８（ａ））、この状態は既にお好みに登録済みであるのでお好みに登録するか否かを問うウィンドウは表示せず、撮影シーン選択ウィンドウを表示する（図８（ｄ））。
【００３５】
なお、本発明は、上記実施形態に限定されるものではなく、本件発明の趣旨を逸脱しない範囲で変更することが可能である。例えば、上記実施形態では、撮影シーンの切り替え操作に応じた各種パラメータの変更処理（設定変更処理）を行う際について説明したが、撮影シーン以外の撮影モード等の他の撮影設定の切り替え操作（撮影設定切替操作）に応じた設定変更処理について、同様に制御するようにしてもよい。
【００３６】
また、上述した実施形態では、撮影シーン（撮影設定）の切り替え操作に応じて行われる変更処理が処理開始後中断不可能であるか処理開始後中断可能であるかを判定して、当該設定変更処理が処理開始後中断不可能であると判定された場合に、当該設定変更処理の開始を遅延させる構成としたが、この構成に限定されることなく、例えば、撮影シーンの切替パターンと、当該切替パターンにおける撮影シーンの切り替えに伴って処理開始後中断不可能な設定変更処理が行われるか否かに基づいて決定される設定変更処理の開始タイミングと、を予め設定して記憶しておき、撮影シーンの切替操作が行われた際には、この撮影シーンの切替パターンを判定して、この判定結果に応じて設定変更処理の開始タイミングを制御するようにしてもよい。この切替パターンとは、例えば、「標準→夜景」，「標準→夕焼け」，「夕焼け→夜景」のような撮影シーンを切り替えるパターンである。
【図面の簡単な説明】
【００３７】
【図１】本発明の一実施形態における携帯電話機の外観を示す斜視図である。
【図２】本発明の一実施形態における携帯電話機の電気的概略構成を示すブロック図である。
【図３】本発明の一実施形態における携帯電話機の各撮影シーンにおける各種パラメータの設定内容を示す表である。
【図４】本発明の一実施形態における携帯電話機のカメラアプリケーション起動中のユーザ操作に応じた画面の切り替わりを示す画面遷移図である。
【図５】本発明の一実施形態における携帯電話機の撮影シーン切替処理の流れを示すフローチャートである。
【図６】本発明の一実施形態における携帯電話機の各撮影シーンにおける各種パラメータの変更許容範囲を示す表である。
【図７】本発明の一実施形態における携帯電話機のカメラアプリケーション起動中のユーザ操作に応じた画面の切り替わりを示す画面遷移図である。
【図８】本発明の一実施形態における携帯電話機のカメラアプリケーション起動中のユーザ操作に応じた画面の切り替わりを示す画面遷移図である。
【符号の説明】
【００３８】
Ａ…携帯電話機、  １…操作部、  ２…表示部、  ３…表示制御部、  ４…カメラ部、  ５…電話機能部、  ６…記憶部、  ７…主制御部、  ８…電源部
１ａ…テンキー、  １ｂ…汎用キー、  １ｃ…複合キー
【図１】
0004652243.tif 000002
【図２】
0004652243.tif 000003
【図３】
0004652243.tif 000004
【図４】
0004652243.tif 000005
【図５】
0004652243.tif 000006
【図６】
0004652243.tif 000007
【図７】
0004652243.tif 000008
【図８】
0004652243.tif 000009